(57)【特許請求の範囲】
【請求項１】
浴槽と、風呂加熱缶体と、該風呂加熱缶体へ前記浴槽の水を循環させる追い焚き循環路及び循環ポンプと、温水または非加熱水を前記浴槽へ自動落とし込みする給湯器と、前記追い焚き循環路に設けられる浴槽水位センサ及び水流センサと、前記給湯器から浴槽への自動落とし込み路に設けられる流量センサとを有する風呂設備の自動試運転装置であって、自動試運転指令があると、先ず前記循環ポンプを一定時間駆動させて、浴槽内に追い焚き循環路へ循環することができる水位以上の残水が有るか否かを判定し、有りの場合には試運転不可表示を行い、否の場合には更に前記給湯器による浴槽への落とし込みを開始させ、予め定めた一定の最大水量を越えても予め定めた設定水位を検出しない場合には試運転不良表示を行うと共に前記最大水量以下で設定水位を検出した場合には試運転完了表示を行うコントローラを設けたことを特徴とする風呂設備の自動試運転装置。
【請求項２】
落とし込み開始後の初期においては浴槽水位が追い焚き循環路へ循環できる水位になるのを監視して、追い焚き循環路へ循環できる水位になったと判断されたときにおける浴槽水位センサの検出値を得、その後最大水量以下で且つ予め定めた一定の最小水量以上の範囲で設定水位を検出した場合には、試運転完了表示を行うと共に前記検出値を基準水位として記憶するようにしたコントローラを設けたことを特徴とする請求項１に記載の風呂設備の自動試運転装置。
【発明の詳細な説明】
【０００１】
【産業上の利用分野】
本発明は風呂設備の自動試運転装置に関し、詳しくは浴槽に自動落とし込みを行うための試運転を自動的に行う装置に関する。
【０００２】
【従来の技術】
従来より、浴槽水を風呂加熱缶体へ循環させて追い焚きを行うようにした風呂設備が提供されており、また前記追い焚きのための循環路の途中に自動落とし込み給湯路を接続することで、浴槽水位を設定することで自動的にその水位まで落とし込みを行うことができる自動落とし込み給湯機能を備えた風呂設備が提供されている。
【０００３】
【発明が解決しようとする課題】
ところが上記従来の風呂設備においては、その風呂設備を設置施工後に試運転を行う必要があるが、従来は作業者自らが手動で水を落とし込み、その状況を逐一観察して配管の漏れや、自動落とし込みがうまく行われ得るかを点検し、また基準となる水位を設定する等の作業を行わなければならず、人手と手間と熟練を必要とする作業であった。
【０００４】
そこで本発明は、上記従来の装置における欠点を解消し、風呂設備の水漏れの有無や浴槽への自動落とし込みが適切に行えるようにするための試運転作業を、自動的に行うことができる風呂設備の自動試運転装置の提供を目的とする。
【０００５】
【課題を解決するための手段】
上記目的を達成するため、本発明の風呂設備の自動試運転装置は、浴槽と、風呂加熱缶体と、該風呂加熱缶体へ前記浴槽の水を循環させる追い焚き循環路及び循環ポンプと、温水または非加熱水を前記浴槽へ自動落とし込みする給湯器と、前記追い焚き循環路に設けられる浴槽水位センサ及び水流センサと、前記給湯器から浴槽への自動落とし込み路に設けられる流量センサとを有する風呂設備の自動試運転装置であって、自動試運転指令があると、先ず前記循環ポンプを一定時間駆動させて、浴槽内に追い焚き循環路へ循環することができる水位以上の残水が有るか否かを判定し、有りの場合には試運転不可表示を行い、否の場合には更に前記給湯器による浴槽への落とし込みを開始させ、予め定めた一定の最大水量を越えても予め定めた設定水位を検出しない場合には試運転不良表示を行うと共に前記最大水量以下で設定水位を検出した場合には試運転完了表示を行うコントローラを設けたことを第１の特徴としている。
また本発明の風呂設備の自動試運転装置は、上記第１の特徴に加えて、落とし込み開始後の初期においては浴槽水位が追い焚き循環路へ循環できる水位になるのを監視して、追い焚き循環路へ循環できる水位になったと判断されたときにおける浴槽水位センサの検出値を得、その後最大水量以下で且つ予め定めた一定の最小水量以上の範囲で設定水位を検出した場合には、試運転完了表示を行うと共に前記検出値を基準水位として記憶するようにしたコントローラを設けたことを第２の特徴としている。
【０００６】
【作用】
上記本発明の第１の特徴によれば、作業者が風呂設備の設置施工を終えた後、コントローラやリモコン等に設けられた自動試運転スイッチをオンすることで、自動試運転指令が出され、試運転が開始される。この試運転は、先ずコントローラによって、前記循環ポンプが一定時間駆動せられて、浴槽内に追い焚き循環路へ循環することができる水位以上の残水が有るか否かが判定される。有りの場合には、浴槽内に既に水が多く入り過ぎていることから、コントローラによって試運転不可表示がなされる。よってこの場合には、作業者等は浴槽内の残水を排出した後、再度自動試運転スイッチをオンすることになる。一方、前記判定で水位が循環可能水位未満、即ち否と判定された場合には、コントローラによって、給湯器による温水若しくは非加熱水の浴槽への落とし込みが開始される。そしてコントローラによって浴槽水位と落とし込み水量が監視され、予め定めた一定の最大水量を越えても浴槽水位センサが予め定めた設定水位を検出しない場合には、試運転不良表示がコントローラによってなされる。一方、前記一定の最大水量以下で浴槽水位センサが予め定めた設定水位を検出した場合には、試運転完了表示がコントローラによってなされる。
上記において、予め定めた一定の最大水量とは、例えば浴槽の内容量に対応する水量として予め定めることができる。また予め定めた設定水位とは、例えば浴槽水位として入浴に適した充分な水位として予め定めることができる。
上記本発明の第２の特徴によれば、上記第１の特徴による作用に加えて、浴槽水位が循環可能水位未満と判定されることによって、給湯器による温水若しくは非加熱水の浴槽への落とし込みが開始されると、その初期においてはコントローラによって、浴槽水位が追い焚き循環路へ循環できる水位になるのが監視され、浴槽水位が追い焚き循環路へ循環できる水位になったとされたときの浴槽水位センサの検出値が取得される。そしてその後、浴槽水位センサが予め定めた一定の最大水量以下でしかも予め定めた一定の最小水量以上の範囲の水量によって設定水位を検出した場合には、試運転完了表示に加えて前記取得された検出値が基準水位としてコントローラに記憶される。
前記予め定めた一定の最小水量とは、その様な水量を落とし込むだけでは到底設定水位にはならないような水量として予め定めることができる。
最大水量以下で最小水量以上の水量で設定水位を検出する場合には、予定の水量で予定の設定水位に達したと判断することができるので、前記浴槽水位が追い焚き循環路へ循環できる水位になったとされたときに浴槽水位センサによって検出された検出値も、追い焚き循環路への循環が可能となる実際の浴槽の水位を現すものとしてほぼ正しいと判断することができるので、この検出値をもって基準水位として記憶しておくことによって、以後この基準水位を用いて必要水位への自動落とし込みを容易に行うことができる。
【０００７】
【実施例】
以下に本発明を実施例に基づいて説明する。
図１は本発明に係る風呂設備の実施例を示す構成図、図２はコントローラと装置各部との関係を示すブロック図、図３はコントローラによる自動試運転の制御例を示すフローチャート、図４はコントローラによる自動試運転の他の制御例を示すフローチャートである。
【０００８】
図１において、１０は浴槽で、該浴槽１０から追い焚き循環路２０が風呂加熱缶体３０へ循環するように接続されている。前記追い焚き循環路２０は前記浴槽１０の循環金具１１に接続され、循環ポンプ２１の他、風呂温度センサ２２、水流センサ２３、圧力検知による浴槽水位センサ２４が設けられている。また前記風呂加熱缶体３０には熱交換器３１、バーナ３２等が設けられている。
４０は給湯器で、熱交換器４１、バーナ４２等が設けられ、入水管４３から入った水が熱交換器４１を通る間に加熱され、温水となって給湯管４４に出湯する。給湯管４４からは自動落とし込み路４５が設けられ、該自動落とし込み路４５は途中に開閉弁４６、流量センサ４７、逆止弁４８を介して前記追い焚き循環路２０に接続している。
５０はコントローラで、６０はリモコンである。コントローラ５０は、図２も参照して、マイコン５１、メモリ５２、入出力回路５３等からなり、前記リモコン６０や各センサ２２、２３、２４等からの指令、情報を入力し、所定のソフトウエアによって所定の演算、判定、記憶を行い、また所定の命令を循環ポンプ２１、バーナ３２、４２、開閉弁４６等の負荷に対して出力する。
【０００９】
風呂の追い焚き運転では、コントローラ５０によって循環ポンプ２１が駆動され、浴槽１０内の水が循環金具１１から追い焚き循環路２０を通って風呂加熱缶体３０の熱交換器３１内を通る間にバーナ３２によって加熱され、風呂温度センサ２２によって浴槽水が所定の温度まで追い焚きされると追い焚き運転が終了する。
また浴槽への自動落とし込み運転では、リモコン６０において、所定の水位を設定して自動落とし込みスイッチをオンすることにより、自動落とし込み路４５の開閉弁４６が開放され、給湯器４０から温水若しくは非加熱水が自動落とし込み路４５を通って追い焚き循環路２０に入り、さらに浴槽１０へ導入せられる。浴槽水位センサ２４が設定した水位を検出すると、開閉弁４６が閉止されて自動落とし込み運転が終了する。落とし込み途中における適当な時期に循環ポンプ２１を短時間駆動し、これによって追い焚き循環路２０内のエアーを一掃して浴槽水位センサ２４による正確な水位を検出できるようにしてもよい。
【００１０】
次に、コントローラ５０による自動試運転の制御機構について、図３のフローチャートに沿って説明する。
今、作業者等が図１に示す浴槽設備を設置施工した後、コントローラ５０やリモコン６０等に設けられた自動試運転スイッチをオンすることで、自動試運転指令が出されると（Ｓ１でイエス）、コントローラ５０は、先ず循環ポンプ２１を一定時間駆動し、追い焚き循環路２０の水流センサ２３が水流を検出するか否かを監視して、浴槽１０内に追い焚き循環路２０へ循環することができる水位以上の残水が有るか否かを循環判定する（Ｓ２）。そして循環判定可能な水位の残水が浴槽１０内に有る場合には（Ｓ２でイエス）、浴槽１０内に既に水が多く入り過ぎていることから試運転ができないとして、コントローラ５０はリモコン６０等の表示部に対して試運転不可表示を指令し（Ｓ３）、試運転を終了する。よってこの場合には、作業者等は浴槽内の残水を排出した後、再度自動試運転スイッチをオンすることになる。
【００１１】
一方、前記ステップＳ２で、水位が循環可能水位未満、即ち否と判定した場合には、コントローラ５０は、給湯器４０の自動落とし込み路４５の開閉弁４６を開放し、必要に応じて温水若しくは非加熱水（水）の浴槽１０への落とし込みを開始する（Ｓ４）。そしてコントローラ５０は浴槽水位と落とし込み水量を浴槽水位センサ２４と流量センサ４７からの情報でもって監視し、予め定めた一定の最大水量を越えても浴槽水位センサ２４が予め定めた設定水位を検出しない場合には（Ｓ５でノー、Ｓ６でイエス）、水漏れ等による不良があるとして、試運転不良表示をリモコン６０等の表示部に指令する（Ｓ７）。
一方、前記一定の最大水量以下で浴槽水位センサ２４が予め定めた設定水位を検出した場合には（Ｓ５でイエス、Ｓ６でノー）、コントローラ５０は、水漏れ等がなく正常に試運転ができたとして、試運転完了表示をリモコン６０等の表示部に指令する（Ｓ８）。
前記において、予め定めた一定の最大水量とは、例えば浴槽の内容量に対応する水量として予め定めることができる。また予め定めた設定水位とは、例えば浴槽水位として入浴に適した充分な水位として予め定めることができる。これによって、最大水量を越えても所定の設定水位を検出しない場合は、水漏れしているか、浴槽水位センサ２４や流量センサ４７の不良ということが推定できる。
コントローラ５０は前記試運転不良表示指令、試運転完了表示指令を出した後、前記開閉弁４６の閉止を指令して落とし込みを終了し（Ｓ９）、試運転を終了する。
【００１２】
図４のフローチャートに沿って、コントローラ５０による自動試運転の他の制御機構を説明する。この例は、浴槽使用者等によって浴槽設定水位を正確に自動落とし込みすることができるようにするために必要な基準水位の検出とその記憶といった作業も含んだ自動試運転制御の例である。
今、作業者等が図１に示す浴槽設備を設置施工した後、コントローラ５０やリモコン６０等に設けられた自動試運転スイッチをオンすることで、自動試運転指令が出されると（Ｓ１１でイエス）、コントローラ５０は、先ず循環ポンプ２１を一定時間駆動し、追い焚き循環路２０の水流センサ２３が水流を検出するか否かを監視して、浴槽１０内に追い焚き循環路２０へ循環することができる水位以上の残水が有るか否かを循環判定する（Ｓ１２）。そして循環判定可能な水位の残水が浴槽１０内に有る場合には（Ｓ１２でイエス）、コントローラ５０はリモコン６０等の表示部に対して試運転不可表示を指令し（Ｓ１３）、試運転を終了する。一方、前記ステップＳ１２で、水位が循環可能水位未満、即ち否と判定した場合には、コントローラ５０は、給湯器４０の自動落とし込み路４５の開閉弁４６を開放し、必要に応じて温水若しくは非加熱水（水）の浴槽１０への落とし込みを開始する（Ｓ１４）。以上までは図３のフローチャートに示すステップＳ１〜Ｓ４と同じである。
【００１３】
前記給湯器４０による温水若しくは非加熱水の浴槽１０への落とし込みが開始されると、その初期においてはコントローラ５０は、浴槽水位が追い焚き循環路２０へ循環できる水位になるのを監視し、浴槽水位が追い焚き循環路２０へ循環できる水位になったとされたときに浴槽水位センサ２４が検出した検出値を基準水位として検出する（Ｓ１５）。
前記ステップＳ１５の具体的なコントローラ５０の制御機構としては、２種類の制御機構を採用することができる。
先ずその１つ制御機構を説明する。前記ステップＳ１４で浴槽１０への落とし込みが開始されると、コントローラ５０は浴槽水位センサ２４の検出値に変曲点が現れるのを監視し、この変曲点を検出したところで、さらに一定量の流量を落とし込む。そして循環判定により水位が循環金具１１を越えていることを確認し、そのときに浴槽水位センサ２４が検出した検出値（例えば電気的な値）を、前記循環金具１１を少し越えた浴槽水位を現すものとして、これを基準水位とする。
前記において、落とし込みにより浴槽水位が前記循環金具１１の付近に達してくると、追い焚き循環路２０に設けられた浴槽水位センサ２４に対しても浴槽１０内の水による水圧が加わってくるので、浴槽水位センサ２４の検出値がそれまでと較べて顕著に増加してくる等、検出値に大きな変化が生じる。この変化の開始点が変曲点であり、浴槽水位がほぼ追い焚き循環のできるレベルに近づいたことを示す。よってコントローラ５０はこの変曲点を検出すると、さらに水位が前記循環金具１１を少し越えるであろう量の一定の水量を落とし込むこととし、その一定量を落とし込んだ後、循環ポンプ２１を駆動して循環判定を行い、循環判定可能となったことを確認した上で、そのときの浴槽水位センサ２４の検出する検出値を得て、これを前記循環金具１１を少し越えた浴槽水位を現すものとして、基準水位とするのである。このようにして基準水位と検出値との対応が成ると、種々の浴槽設定水位に対して検出値を対応づけることができ、浴槽水位を検出することができる。
【００１４】
他の１つの制御機構は、前記ステップＳ１４で浴槽１０への落とし込みを開始するのにおいて、コントローラ５０は一定量の水量の落とし込みと循環判定とを繰り返す制御を行い、循環判定が可能となった時点で、そのときに浴槽水位センサ２４が検出した検出値（例えば電気的な値）を、前記循環金具１１を少し越えた浴槽水位を現すものとして、これを基準水位とする機構である。この制御機構の場合には、循環判定と一定量の落とし込みとを繰り返す必要がある。基準水位を検出値に対応させて検出することで、以後、種々の浴槽設定水位に対して検出値を対応づけることができ、浴槽水位を検出することができる。
【００１５】
ステップＳ１５で基準水位を検出した後、コントローラ５０は落とし込みを続け、浴槽水位と落とし込み水量を浴槽水位センサ２４と流量センサ４７からの情報でもって監視し、予め定めた一定の最大水量を越えても浴槽水位センサ２４が予め定めた設定水位を検出しない場合には（Ｓ１６でノー、Ｓ１７でイエス）、水漏れ等による不良があるとして、試運転不良表示をリモコン６０等の表示部に指令する（Ｓ１８）。
一方、前記一定の最大水量以下で浴槽水位センサ２４が予め定めた設定水位を検出した場合には（Ｓ１６でイエス、Ｓ１７でノー）、コントローラ５０はさらに、予め定めた一定の最小水量以上で設定水位を検出したか否かを判定し（Ｓ１９）、否の場合（Ｓ１９でノー）には、試運転完了表示のみをリモコン６０等の表示部に指令し（Ｓ２０）、落とし込みを終了する（Ｓ２２）。
ステップＳ１９で、イエスの場合、即ち一定の最大水量以下でしかも一定の最小水量以上で浴槽水位センサ２４が予め定めた設定水位を検出した場合には、コントローラ５０は試運転完了表示を指令すると共に、前記検出した基準水位を、検出値に対応させて記憶する（Ｓ２１）。そして落とし込みを終了する（Ｓ２２）。前記記憶は不揮発性メモリに記憶することで、停電等があった後においても同じ基準水位を用いることができる。
前記予め定めた一定の最小水量とは、その様な水量を落とし込むだけでは到底設定水位にはならないような水量として予め定めることができる。このような最小水量未満で所定水位を検出する場合には、水漏れ等はないが、自動落とし込みの他に浴槽への通常の給湯栓等が開いており、水等が同時に落とし込まれている場合等が考えられ、前記検出した基準水位も、循環金具１１を少し越えた水位を現すものとして、必ずしも正しいとは言えないので、基準水位を記憶することはしないようにしている。
最大水量以下で最小水量以上の水量で設定水位を検出する場合には、予定の水量で予定の設定水位に達したと判断することができるので、前記浴槽水位が追い焚き循環路２０へ循環できる水位になったとされたときに浴槽水位センサ２４によって検出された検出値も、追い焚き循環路２０への循環が可能となる実際の浴槽１０の水位を現すものとしてほぼ正しいと判断することができるので、この検出値をもって基準水位として記憶しておくことによって、以後この基準水位を用いて必要水位への自動落とし込みを容易に行うことができる。
【００１６】
【発明の効果】
本発明は以上の構成よりなり、請求項１に記載の風呂設備の自動試運転装置によれば、自動試運転指令があると、先ず前記循環ポンプを一定時間駆動させて、浴槽内に追い焚き循環路へ循環することができる水位以上の残水が有るか否かを判定し、有りの場合には試運転不可表示を行い、否の場合には更に前記給湯器による浴槽への落とし込みを開始させ、予め定めた一定の最大水量を越えても予め定めた設定水位を検出しない場合には試運転不良表示を行うと共に前記最大水量以下で設定水位を検出した場合には試運転完了表示を行うコントローラを設けたので、風呂設備の設置施工後における試運転を自動試運転スイッチをオンするだけで、自動的に行うことができ、しかも試運転ができるか否かの判断から、水漏れ等を推定させる試運転不良の判定、及び装置の設置施工が良好であるか否かの判断までを、自動的に得ることができるので、人手、手間、熟練を必要とせず、非常に簡単に短時間で効率よく試運転ができる。
また請求項２に記載の風呂設備の自動試運転装置によれば、請求項１に記載の構成による効果に加えて、落とし込み開始後の初期においては浴槽水位が追い焚き循環路へ循環できる水位になるのを監視して、追い焚き循環路へ循環できる水位になったと判断されたときにおける浴槽水位センサの検出値を得、その後最大水量以下で且つ予め定めた一定の最小水量以上の範囲で設定水位を検出した場合には、試運転完了表示を行うと共に前記検出値を基準水位として記憶するようにしたコントローラを設けたので、自動試運転において、自動落とし込みの基準となる基準水位を適切な条件下で自動的に得ることができ、該基準水位を用いることで、以後設定水位を確実に且つ安定して自動落とし込みすることができる。
【図面の簡単な説明】
【図１】本発明に係る風呂設備の実施例を示す構成図である。
【図２】コントローラと装置各部との関係を示すブロック図である。
【図３】コントローラによる自動試運転の制御例を示すフローチャートである。
【図４】コントローラによる自動試運転の他の制御例を示すフローチャートである。
【符号の説明】
１０  浴槽
１１  循環金具
２０  追い焚き循環路
２１  循環ポンプ
２２  風呂温度センサ
２３  水流センサ
２４  浴槽水位センサ
３０  風呂加熱缶体
４０  給湯器
４５    自動落とし込み路
４７  流量センサ
５０  コントローラ
【図１】
0003551512.tif 000002
【図２】
0003551512.tif 000003
【図３】
0003551512.tif 000004
【図４】
0003551512.tif 000005